(57)【特許請求の範囲】
【請求項１】
光透過性を有する第１基材と、
前記第１基材の第１面に設けられた光透過性を有する複数の多角柱状構造体からなる複数の採光部と、
前記複数の採光部の間に設けられた空隙部と、を備え、
前記多角柱状構造体は、前記多角柱状構造体の長手方向に直交する断面形状が５角形を有し、前記５角形の全ての内角が１８０°未満であり、
前記５角形は、前記多角柱状構造体の前記第１基材と接する面に対応する前記５角形の１辺である第１辺と、前記第１辺の両端にあたる頂点である第１頂点および第２頂点と、前記第１辺上に位置しない第３頂点とを含む５つの頂点と、を有し、
前記第３頂点を通る前記第１辺の第１の垂線の長さは、第４頂点を通る前記第１辺の第２の垂線の長さよりも長く、
前記５角形の形状は、前記第１の垂線を中心として非対称であり、
前記第４頂点は、前記第１の垂線に対して一方の側に位置し、
第５頂点は、前記第１の垂線に対して他方の側に位置し、
前記第２の垂線の長さは、前記第５頂点を通る前記第１辺の第３の垂線の長さよりも長く、
前記第１の垂線の長さは、前記第１辺の長さよりも長い採光部材。
【請求項２】
前記第３頂点と前記第４頂点とを結ぶ辺を第２辺とし、
前記第３頂点と前記第５頂点とを結ぶ辺を第３辺としたとき、
前記第１の垂線と前記第２辺とのなす角度は、前記第１の垂線と前記第３辺とのなす角度よりも大きい請求項１に記載の採光部材。
【請求項３】
前記第３の垂線の長さは、前記第１の垂線の長さの１／２よりも長い請求項２に記載の採光部材。
【請求項４】
光透過性を有する第１基材と、
前記第１基材の第１面に設けられた光透過性を有する複数の多角柱状構造体からなる複
数の採光部と、
前記複数の採光部の間に設けられた空隙部と、を備え、
前記多角柱状構造体は、前記多角柱状構造体の長手方向に直交する断面形状が６角形を有し、前記６角形の全ての内角が１８０°未満であり、
前記６角形は、前記多角柱状構造体の前記第１基材と接する面に対応する前記６角形の１辺である第１辺と、前記第１辺の両端にあたる頂点である第１頂点および第２頂点と、前記第１辺上に位置しない第３頂点とを含む６つの頂点と、を有し、
前記第３頂点を通る前記第１辺の第１の垂線の長さは、第４頂点を通る前記第１辺の第２の垂線の長さよりも長く、
前記６角形の形状は、前記第１の垂線を中心として非対称であり、
前記第４頂点は、前記第１の垂線に対して一方の側に位置し、
第５頂点は、前記第１の垂線に対して他方の側に位置する前記第５頂点及び第６頂点のうち前記第１辺から最も遠く、
前記第６頂点は、前記第４頂点及び前記第６頂点のうち前記第１辺に最も近く、
前記第２の垂線の長さは、前記第５頂点を通る前記第１辺の第３の垂線の長さよりも長い採光部材。
【請求項５】
前記第３頂点と前記第４頂点とを結ぶ辺を第２辺とし、
前記第３頂点と前記第５頂点とを結ぶ辺を第３辺としたとき、
前記第１の垂線と前記第２辺とのなす角度は、前記第１の垂線と前記第３辺とのなす角
度よりも大きい請求項４に記載の採光部材。
【請求項６】
前記第３垂線の長さは、前記第１の垂線の長さの１／２よりも長い請求項４または請求項５に記載の採光部材。
【請求項７】
隣り合う２つの前記採光部の間に、光透過性を有する多角柱状構造体からなる補助採光部を備え、
前記補助採光部は、前記補助採光部の前記長手方向に直交する第２の断面形状が３角形であり、
前記５角形は、第１の領域と第２の領域とを有し、
前記第１の領域は、前記第１の垂線の一方の側に存在し、
前記第２の領域は、前記第１の垂線の他方の側に存在し、
前記第１の領域は、前記第２の領域よりも大きく、
前記３角形は、前記第１基材に接する第１辺と、隣り合う一方の前記採光部に対向する第２辺と、前記３角形における前記第１辺と前記第２辺とを繋ぐ第３辺と、を有し、前記３角形の前記第３辺は、前記採光部における前記第１の領域に位置する前記第３辺の傾きと反対の傾きを有する請求項１から請求項３までのいずれか一項に記載の採光部材。
【請求項８】
請求項１から請求項７までのいずれか一項に記載の採光部材と、
前記採光部材を支持する支持部材と、を備え、
前記採光部材を通して外光を採り入れる採光装置。
【請求項９】
前記採光部材は、前記支持部材を出し入れ可能に折り畳んで収納する収納機構をさらに備える請求項８に記載の採光装置。
【請求項１０】
前記採光部材は、前記支持部材を出し入れ可能に巻き取る巻き取り機構をさらに備える請求項８に記載の採光装置。
【請求項１１】
光透過性を有する第１基材と、
前記第１基材の第１面に設けられた光透過性を有する複数の多角柱状構造体からなる複
数の採光部と、
前記複数の採光部の間に設けられた空隙部と、を備え、
前記多角柱状構造体は、前記多角柱状構造体の長手方向に直交する断面形状が５角形を有し、前記５角形の全ての内角が１８０°未満であり、
前記５角形が、前記多角柱状構造体の前記第１基材と接する面に対応する前記５角形の１辺である第１辺と、前記第１辺の両端にあたる頂点である第１頂点および第２頂点と、前記第１辺上に位置しない第３頂点とを含む５つの頂点と、を有し、
前記第３頂点を通る前記第１辺の第１の垂線の長さが、第４頂点を通る前記第１辺の第２の垂線の長さよりも長く、
前記５角形の形状が、前記第３頂点を通る前記第１辺の第１の垂線を中心として非対称であり、
前記第４頂点は、前記第１の垂線の一方の側に位置し、
第５頂点は、前記第１の垂線の他方の側に位置し、
前記第２の垂線の長さは、前記第５頂点を通る前記第１辺の第３の垂線の長さよりも長く、
前記第１の垂線の長さは、前記第１辺の長さよりも長く、
第２辺は、前記第３頂点と前記第４頂点とを接続し、
第３辺は、前記第３頂点と前記第５頂点とを接続し、
前記第１の垂線と前記第２辺とによって形成される第１の角度は、前記第１の垂線と前記第３辺とによって形成される第２の角度よりも大きく、
前記５角形のうち、前記第３頂点を通る前記第１辺の前記第１の垂線に対して面積の大きい第１の領域が存在する側が垂直方向の下側を向くように前記複数の採光部を配置する採光部材の設置方法。
【発明の詳細な説明】
【技術分野】
【０００１】
本発明は、採光部材、採光装置、および採光部材の設置方法に関するものである。
本願は、２０１４年２月４日に、日本に出願された特願２０１４−０１９６０５号に基づき優先権を主張し、その内容をここに援用する。
【背景技術】
【０００２】
建築物の窓等を通して太陽光を室内に採り込むための採光部材が特許文献１、２に提案されている。これら採光部材は、複数の単位プリズムと平坦面とが透光性の支持体の一方の面に形成されている。太陽光は、単位プリズムを通して室内に採り込まれる。
【先行技術文献】
【特許文献】
【０００３】
【特許文献１】特許第５１２３３６４号
【特許文献２】特表２０１３−５１４５４９号公報
【発明の概要】
【発明が解決しようとする課題】
【０００４】
ところが、特許文献１，２の構成においては、単位プリズムが曲面を有した形状とされている。単位プリズムが曲面を有した形状の場合、単位プリズムに入射した光が入射位置によって様々な方向に射出するおそれがある。つまり、採光フィルムを透過した光が室内に居る人の目の位置に到達することがある。このような光はグレアを引き起こし、室内に居る人が不快に感じることがある。【０００５】
また、従来の採光フィルムでは、室内の天井に向かう光によって室内の奥の方まで照射することが難しい。つまり、天井で反射された光によって室内を広範囲に亘って照らすことが困難であった。従来の採光フィルムでは、天井のうち窓ガラスに近い領域を集中的に照らすことになり、天井の照度分布に大きな差が生じてしまっていた。このため、室内の手前の方では眩しく、室内の奥の方では暗く感じられることがあった。この場合、夜間だけでなく、昼間においても照明設備を使用することで明るい環境を維持しており、自然光（太陽光）を十分に利用することができていない。【０００６】
本発明の一つの態様は、上記従来技術の問題点に鑑み成されたものであって、自然光（太陽）を十分に利用して室内の明るい環境を確保するとともに、グレア光をより抑制することのできる採光部材、採光装置、および採光部材の設置方法を提供することを目的の一つとしている。
【課題を解決するための手段】
【０００７】
本発明の一つの態様の採光部材は、光透過性を有する第１基材と、前記第１基材の第１面に設けられた光透過性を有する複数の多角柱状構造体からなる複数の採光部と、前記複数の採光部の間に設けられた空隙部と、を備え、前記多角柱状構造体は、前記多角柱状構造体の長手方向に直交する断面形状が４個以上の頂点を有し、全ての内角が１８０°未満の多角形であり、前記多角形は、前記多角柱状構造体の前記第１基材と接する面に対応する前記多角形の１辺である第１辺と、前記第１辺の両端にあたる頂点である第１頂点および第２頂点と、前記第１辺上に位置しない第３頂点を含む複数の頂点と、を有し、前記第３頂点を通る前記第１辺の垂線の長さは、前記複数の頂点のうちの前記第３頂点以外の頂点を通る前記第１辺の垂線の長さよりも長く、前記多角形の形状は、前記第３頂点を通る前記第１辺の垂線を中心として非対称である。【０００８】
本発明の一つの態様の採光部材において、前記多角形は５角形であり、前記第３頂点を通る前記第１辺の垂線の一方側に位置する頂点を第４頂点とし、他方側に位置する頂点を第５頂点としたとき、前記第４頂点を通る前記第１辺の垂線の長さは、前記第５頂点を通る前記第１辺の垂線の長さよりも長い構成としてもよい。【０００９】
本発明の一つの態様の採光部材において、前記第３頂点と前記第４頂点とを結ぶ辺を第２辺とし、前記第３頂点と前記第５頂点とを結ぶ辺を第３辺としたとき、前記第３頂点を通る前記第１辺の垂線と前記第２辺とのなす角度は、前記第３頂点を通る前記第１辺の垂線と前記第３辺とのなす角度よりも大きい構成としてもよい。【００１０】
本発明の一つの態様の採光部材において、前記第５頂点を通る前記第１辺の垂線の長さは、前記第３頂点を通る前記第１辺の垂線の長さの１／２よりも長い構成としてもよい。【００１１】
本発明の一つの態様の採光部材において、前記多角形は６角形であり、前記第３頂点を通る前記第１辺の垂線の一方側に位置する頂点を第４頂点とし、他方側に位置する２つの頂点のうち、前記第１辺から遠い側の頂点を第５頂点とし、前記第１辺に近い側の頂点を第６頂点としたとき、前記第４頂点を通る前記第１辺の垂線の長さは、前記第５頂点を通る前記第１辺の垂線の長さよりも長い構成としてもよい。【００１２】
本発明の一つの態様の採光部材において、前記第３頂点と前記第４頂点とを結ぶ辺を第２辺とし、前記第３頂点と前記第５頂点とを結ぶ辺を第３辺としたとき、前記第３頂点を通る前記第１辺の垂線と前記第２辺とのなす角度は、前記第３頂点を通る前記第１辺の垂線と前記第３辺とのなす角度よりも大きい構成としてもよい。【００１３】
本発明の一つの態様の採光部材において、前記第５頂点を通る前記第１辺の垂線の長さは、前記第３頂点を通る前記第１辺の垂線の長さの１／２よりも長い構成としてもよい。【００１４】
本発明の一つの態様の採光部材において、隣り合う２つの前記採光部の間に、光透過性を有する多角柱状構造体からなる補助採光部を備え、前記補助採光部は、前記補助採光部の長手方向に直交する断面形状が３角形であり、前記３角形は、前記多角形において前記第３頂点を通る前記第１辺の垂線に対して面積が大きい側に位置する辺の傾きと反対側の傾きを有する辺を有する構成としてもよい。【００１５】
本発明の一つの態様の採光部材において、本発明の採光装置は、上記の採光部材と、前記採光部材を支持する支持部材と、を備え、前記採光部材を通して外光を採り入れる。【００１６】
本発明の一つの態様の採光部材において、前記採光部材が支持された前記支持部材を出し入れ可能に折り畳んで収納する収納機構をさらに備える構成としてもよい。【００１７】
本発明の一つの態様の採光部材において、前記採光部材が支持された前記支持部材を出し入れ可能に巻き取る巻き取り機構をさらに備える構成としてもよい。【００１８】
本発明の一つの態様の採光部材の設置方法は、光透過性を有する第１基材と、前記第１基材の第１面に設けられた光透過性を有する複数の多角柱状構造体からなる複数の採光部と、前記複数の採光部の間に設けられた空隙部と、を備え、前記多角柱状構造体は、前記多角柱状構造体の長手方向に直交する断面形状が４個以上の頂点を有し、全ての内角が１８０°未満の多角形であり、前記多角形が、前記多角柱状構造体の前記第１基材と接する面に対応する前記多角形の１辺である第１辺と、前記第１辺の両端にあたる頂点である第１頂点および第２頂点と、前記第１辺上に位置しない第３頂点を含む複数の頂点と、を有し、前記第３頂点を通る前記第１辺の垂線の長さが、前記複数の頂点のうちの前記第３頂点以外の頂点を通る前記第１辺の垂線の長さよりも長く、前記多角形の形状が、前記第３頂点を通る前記第１辺の垂線を中心として非対称である採光部材を、前記多角形において前記第３頂点を通る前記第１辺の垂線に対して面積が大きい側が鉛直方向下方を向くように前記採光部を配置し、前記採光部材を透明構造物に設置する。
【発明の効果】
【００１９】
以上のように、本発明の一つの態様によれば、屋外の自然光（太陽光）を屋内に効率良く採り入れると共に、屋内に居る人に眩しさを感じさせずに、屋内の奥の方まで明るく感じさせることができる採光部材、このような採光部材を用いた採光装置、採光部材の設置方法を提供することが可能である。
【図面の簡単な説明】
【００２０】
【図１】第１実施形態における採光部材の全体構成を示す断面図。
【図２】第１実施形態における採光部材の複数の採光部の構成を示す斜視図。
【図３】第１実施形態の採光部を長手方向に対して垂直な方向に切断したときの断面図。
【図４】部屋モデルの一例を示す模式図。
【図５Ａ】採光フィルムの採光部に入射する入射光ＬＩＮの入射角θＩＮと、第１基材２の第２面２ｂから射出される射出光ＬＯＵＴの射出角θＯＵＴとの定義について説明する図。
【図５Ｂ】射出光の進行方向を示す第１の図である。
【図５Ｃ】射出光の進行方向を示す第２の図である。
【図５Ｄ】射出光の進行方向を示す第３の図である。
【図５Ｅ】射出光の進行方向を示す第４の図である。
【図５Ｆ】射出光の進行方向を示す第５の図である。
【図５Ｇ】射出光の進行方向を示す第６の図である。
【図６Ａ】第１実施形態の採光部を透過する光の光路を示す第１の図。
【図６Ｂ】第１実施形態の採光部を透過する光の光路を示す第２の図。
【図６Ｃ】第１実施形態の採光部を透過する光の光路を示す第３の図。
【図６Ｄ】第１実施形態の採光部を透過する光の光路を示す第４の図。
【図６Ｅ】第１実施形態の採光部を透過する光の光路を示す第５の図。
【図７】第２実施形態の採光フィルムの全体構成を示す図。
【図８】第２実施形態の採光部の断面形状を示す図。
【図９Ａ】第２実施形態の採光部を透過する光の光路を示す第１の図。
【図９Ｂ】第２実施形態の採光部を透過する光の光路を示す第２の図。
【図９Ｃ】第２実施形態の採光部を透過する光の光路を示す第３の図。
【図９Ｄ】第２実施形態の採光部を透過する光の光路を示す第４の図。
【図９Ｅ】第２実施形態の採光部を透過する光の光路を示す第５の図。
【図９Ｆ】第２実施形態の採光部を透過する光の光路を示す第６の図。
【図９Ｇ】第２実施形態の採光部を透過する光の光路を示す第７の図。
【図１０】第３実施形態の採光フィルムの全体構成を示す図。
【図１１】第３実施形態の採光部の断面形状を示す図。
【図１２】第３実施形態の採光部に入射した光の光路を示す図。
【図１３】第４実施形態の採光フィルムの全体構成を示す図。
【図１４】第４実施形態の採光部周辺の構造を示す断面図。
【図１５Ａ】隣り合う採光部の間の補助採光部を透過する光の光路を示す図。
【図１５Ｂ】隣り合う採光部の間の隙間に入射した光の光路を示す模式図。
【図１６】第４実施形態の採光部の変形例を示す図。
【図１７】第５実施形態の採光フィルムの全体構成を示す図。
【図１８】第５実施形態の採光部周辺の構造を示す断面図。
【図１９】第６実施形態の採光フィルムの全体構成を示す図。
【図２０】第２実施形態における採光フィルムの他の構成例を示す図。
【図２１】第３実施形態における採光フィルムの他の構成例を示す図。
【図２２】ロールスクリーンの概略構成を示す斜視図。
【図２３】図２２中に示すロールスクリーンのＥ−Ｅ’線に沿った断面図。
【図２４】ブラインドの概略構成を示す斜視図。
【図２５Ａ】ブラインドの概略構成を示す第１の斜視図。
【図２５Ｂ】ブラインドの概略構成を示す第２の斜視図。
【図２６】ブラインドが備える採光スラットの概略構成を示す断面図。
【図２７】ブラインドが備える採光スラットの向きを反転させた状態を示す断面図。
【図２８】採光スラットの変形例を示す断面図。
【図２９】採光装置及び照明調光システムを備えた部屋モデル２０００を示す図。
【図３０】部屋モデル２０００の天井を示す平面図。
【図３１】採光装置によって室内に採光された光（自然光）の照度と、室内照明装置による照度（照明調光システム）との関係を示すグラフ。
【発明を実施するための形態】
【００２１】
以下、本発明の実施形態につき、図面を参照して説明する。なお、以下の説明に用いる各図面では、各部材を認識可能な大きさとするため、各部材の縮尺を適宜変更している。
【００２２】
［第１実施形態］
第１実施形態の採光フィルムは、例えば窓に貼り付ける形態で太陽光を室内に採り入れる採光部材の一つの例である。
図１は、本発明の第１実施形態である採光部材の全体構成を示す断面図である。
図２は、第１実施形態における採光部材の複数の採光部の構成を示す斜視図である。
図３は、採光部を長手方向に対して垂直な方向に切断したときの断面図である。
【００２３】
図１に示すように、本実施形態の採光フィルム（採光部材）１は、第１基材２と、複数の採光部（多角柱状構造体）３と、第１接着層４と、を備えている。複数の採光部３は、第１基材２の第１面２ａに設けられている。第１接着層４は、第１基材２の第１面２ａの周縁部に設けられ、採光フィルム１の全体を窓ガラス（透明構造物）８に接着する役目を果たす。複数の採光部３の間は空隙部９となっている。
ここで、紙面の上下方向と、窓ガラス８に貼り合わされた採光フィルム１の上下方向（ＸＹ方向）とは一致する。
本実施形態においては、窓ガラス８の室内側の面に採光フィルム１が貼り合わされている。
【００２４】
第１基材２としては、例えば熱可塑性ポリマーや熱硬化性樹脂、光重合性樹脂等の樹脂類等からなる光透過性の基材が用いられる。アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等などからなる光透過性の基材が用いられる。具体的には、例えばトリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルホン（ＰＥＳ）フィルム、ポリイミド（ＰＩ）フィルム等の光透過性の基材が好ましく用いられる。
【００２５】
本実施形態では、一例として厚さが１００μｍのＰＥＴフィルムが用いられる。第１基材２の全光線透過率は、ＪＩＳ  Ｋ７３６１−１の規定で９０％以上が好ましい。これにより、十分な透明性を得ることができる。
【００２６】
第１基材２の厚みは任意であり、フィルム状に限らず、板状であってもよい。また、複数の基材が積層されてなる積層構成であってもよい。
【００２７】
採光部３は、例えばアクリル樹脂やエポキシ樹脂、シリコーン樹脂等の光透過性および緩効性を有する有機材料で構成されている。これら樹脂に重合開始剤、カップリング剤、モノマー、有機溶媒などを混合した透明樹脂製の混合物を用いることができる。さらに、重合開始剤は安定剤、禁止剤、可塑剤、蛍光増白剤、離型剤、連鎖移動剤、他の光重合性単量体等のような各種の追加成分を含んでいてもよい。
【００２８】
本実施形態においては、熱インプリント法を用いて、複数の採光部３を第１基材２上に形成した。採光部３の形成方法としては、熱インプリント法に限らず、例えば、ＵＶインプリント法、熱プレス法、射出成型法、押出成形法、圧縮成型法等を用いてもよい。溶融押し出し法や型押し出し法などの方法では、第１基材２と採光部３とは同一の樹脂によって一体に形成される。
【００２９】
本実施形態では、採光部３の一例として、ポリメタクリル酸メチル（ＰＭＭＡ）を用いている。採光部３の全光線透過率は、ＪＩＳ  Ｋ７３６１−１の規定で９０％以上が好ましい。これにより、十分な透明性を得ることができる。  
【００３０】
採光部３は、図２に示すように、一方向（図１の紙面と垂直な方向）に直線状に細長く延び、長手方向と直交する断面形状が多角形状をなす。具体的に採光部３は、その断面形状において５つの頂点を有し、全ての内角が１８０°未満とされた５角形である。複数の採光部３は、各々の長手方向が矩形状の第１基材２の一辺に平行するとともに、幅方向に互いに間隔をおいて配置されている。なお、隣り合う採光部３同士（隣り合う一方の採光部３の第１頂点ｑ１と他方の採光部３の第２頂点ｑ２）が接していてもよい。
【００３１】
図３に示すように、各採光部３の断面形状は、第１辺３Ａ、第２辺３Ｂ、第３辺（第２辺）３Ｃ、第４辺（第３辺）３Ｄ、第５辺３Ｅと、第１頂点ｑ１、第２頂点ｑ２、第３頂点ｑ３、第４頂点ｑ４、第５頂点ｑ５と、を有して構成されている。第１頂点ｑ１及び第２頂点ｑ２は、第１辺３Ａの両端にあたる頂点であり、上方に位置する頂点が第１頂点ｑ１であり、下方に位置する頂点が第２頂点ｑ２である。また、第３頂点ｑ３、第４頂点ｑ４、第５頂点ｑ５は、第１辺３Ａ上に位置しない頂点である。
【００３２】
具体的に、第１辺３Ａは第１基材２の第１面２ａと接する。第２辺３Ｂは、第１辺３Ａに対して略垂直に延在し、第１辺３Ａとともに第１頂点ｑ１を構成する。第３辺３Ｃは第３頂点ｑ３と第４頂点ｑ４とを繋ぎ、第４辺３Ｄは第３頂点ｑ３と第５頂点ｑ５とを繋ぎ、第５辺３Ｅは第５頂点ｑ５と第２頂点ｑ２とを繋ぐ辺である。
【００３３】
また、第３頂点ｑ３を通る第１辺３Ａの垂線の長さＬは、上述した５つの頂点ｑ１〜ｑ５のうちの第３頂点ｑ３以外の頂点ｑ４および頂点ｑ５を通る第１辺３Ａの垂線の長さＬ１，Ｌ２よりも長い。
【００３４】
また、第３頂点ｑ３を通る第１辺３Ａの垂線の一方（上方）側に位置する頂点が第４頂点ｑ４、他方（下方）側に位置する頂点を第５頂点ｑ５であって、第４頂点ｑ４を通る第１辺３Ａの垂線の長さＬ１は、第５頂点ｑ５を通る第１辺３Ａの垂線の長さＬ２よりも長い。
【００３５】
また、第３辺３Ｃと第３頂点ｑ３を通る第１辺３Ａの垂線とのなす角度θ１は、第４辺３Ｄと第３頂点ｑ３を通る第１辺３Ａの垂線とのなす角度θ２よりも大きい。
【００３６】
また、第５頂点ｑ５を通る第１辺３Ａの垂線の長さＬ２は、第３頂点ｑ３を通る第１辺３Ａの垂線の長さの１／２よりも長い。
【００３７】
すなわち、本実施形態における採光部３は、第３頂点ｑ３を通る第１辺３Ａの垂線を中心としてその両側の形状が非対称とされた、断面形状が５角形の多角柱状構造体である。
【００３８】
図１に戻り、採光部３の短手方向の幅をＷ、採光部３の第１基材２の法線方向の高さをＬ、採光部３の配列方向のピッチをＰとしたときに、採光部３の短手方向の幅Ｗ、高さＬ、およびピッチＰは、全ての採光部３に亘って等しい。
【００３９】
幅方向で隣り合う採光部３の間に設けられる空隙部９には空気が存在している。したがって、空隙部９の屈折率は概ね１．０である。空隙部９の屈折率を１．０とすることにより、空隙部９と採光部３との界面（第１辺３Ａ〜第５辺３Ｅ）における臨界角が最小となる。本実施形態の場合、空隙部９には空気が存在しているとしたが、空隙部９には、窒素などの不活性ガスが存在していてもよく、減圧状態とされていてもよい。
【００４０】
なお、第１基材２の屈折率と採光部３の屈折率とは略同等であることが望ましい。その理由は、例えば、第１基材２の屈折率と採光部３の屈折率とが大きく異なる場合、光が採光部３から第１基材２に入射したときに、これら採光部３と第１基材２との界面で不要な光の屈折や反射が生じることがある。この場合、所望の採光特性が得られない、輝度が低下するなどの不具合が生じる虞があるからである。
【００４１】
第１接着層４は、第１基材２の第１面２ａと窓ガラス８の内面８ａとを接着する。第１接着層４は、採光フィルム１の構成要素として当初から第１基材２の第１面２ａに設けられていてもよいし、設けられていなくてもよい。第１接着層４が設けられていない場合には、採光フィルム１を窓ガラス８に貼り付ける作業を行う際に第１基材２の第１面２ａに供給すればよい。第１接着層４には一般的な光学接着剤が用いられる。第１接着層４の屈折率は、第１基材２の屈折率もしくは窓ガラス８の屈折率と等しいことが望ましい。第１接着層４の屈折率が第１基材２の界面もしくは第１接着層４と窓ガラス８との界面において屈折が生じなくなる。
【００４２】
以上のような構成を有する採光フィルム１は、例えば、窓ガラス８の内面８ａ（室内側の面）に、複数の採光部３が形成された面側（第１基材２の第１面２ａ側）を対向させた状態で窓ガラス８に貼り付けて使用される。このとき、採光フィルム１は、採光部３の長手方向が水平方向を向き、複数の採光部３の配列方向が鉛直方向を向くように窓ガラス８に貼り付けられる。具体的には、図２に示すように、採光部３の第３頂点ｑ３を通る第１辺３Ａの垂線に対して面積が大きい側が鉛直方向下方となる向きであって、採光部３の第２辺３Ｂが上面となる向きで貼り付けられる。
【００４３】
太陽から直接届く光は、窓ガラス８に設置された採光フィルム１に対して斜め上方から入射する。採光フィルム１に入射した光は、窓ガラス８を透過して採光部３に到達する。
【００４４】
ここで、説明の便宜上、図１に示す採光部３に入射した光のうち任意の１本の光束が採光部３の第５辺３Ｅ（反射面）に入射する点を入射点とする。入射点を通り、第１基材２の第１面２ａに直交する仮想的な直線を直線ｆとする。直線ｆを含む水平面を境界とする２つの空間のうち、入射点に入射する光が存在する側の空間を第１空間Ｓ１とし、入射点に入射する光が存在しない側の空間を第２空間Ｓ２とする。
【００４５】
例えば、採光部３の第４辺３Ｄから入射した光Ｌ１は、採光部３の第５辺３Ｅで全反射して斜め上方、すなわち第１空間Ｓ１の側に向かって進み、採光部３の第１辺３Ａから射出される。採光部３から射出された光Ｌ１は、第１基材２を透過して、採光フィルム１から室内の天井に向けて射出される。採光フィルム１から天井に向けて射出された光は、天井で反射して室内を照らすため、照明光の代わりとなる。したがって、このような採光フィルム１を用いた場合、日中に建物内の照明設備が消費するエネルギーを節約する省エネルギー効果が期待できる。
【００４６】
ここで、図４に示す部屋モデル１０００を用いて採光フィルム１の採光特性について説明する。図４は、部屋モデル１０００の一例を示す模式図である。
【００４７】
部屋モデル１０００は、例えば、採光フィルム１のオフィスでの使用を想定したモデルである。具体的に、図４に示す部屋モデル１０００は、天井１００１と、床１００２と、窓ガラス１００３が取り付けられた手前の側壁１００４と、手前の側壁１００４と対向する奥の側壁１００５とで囲まれる室内１００６に、窓ガラス１００３を通して屋外の光Ｌが斜め上方から入射する場合を模している。採光フィルム１は、窓ガラス１００３（上記窓ガラス８に相当）の内面の上部側に貼り付けられている。
【００４８】
部屋モデル１０００では、室内１００６の高さ寸法（天井１００１から床１００２までの寸法）Ｈを２．７ｍとし、窓ガラス１００３の縦寸法Ｈ２を天井１００１から１．８ｍとし、採光フィルム１の縦寸法Ｈ１を天井１００１から０．６ｍとしている。
【００４９】
部屋モデル１０００では、室内１００６の中の方に椅子に座っている人Ｍａと、室内１００６の奥の方に床１００２に立っている人Ｍｂとがいる。椅子に座っている人Ｍａの眼の高さ下限Ｈａは、床１００２から０．８ｍとし、床１００２に立っている人Ｍｂの眼の高さ上限Ｈｂは、床１００２から１．８ｍとしている。
【００５０】
室内１００６に居る人Ｍａ，Ｍｂに眩しさを感じさせる領域（以下、グレア領域という。）Ｇは、室内に居る人Ｍａ，Ｍｂの眼の高さＨａ，Ｈｂの範囲である。また、室内１００６の窓ガラス１００３の付近は、主として採光フィルム１が貼り付けられていない窓ガラス１００３の下部側を通して屋外の光Ｌが直接照射される領域Ｆである。この領域Ｆは、手前の側壁１００４から１ｍの範囲としている。したがって、グレア領域Ｇは、床１００２から０．８ｍ〜１．８ｍの高さ範囲のうち、領域Ｆを除いた手前の側壁１００４より１ｍ離れた位置から奥の側壁１００５までの範囲となっている。
【００５１】
グレア領域Ｇは、人の移動する領域内における眼の位置に基づいて規定される領域である。たとえ、天井１００１側に進行する光によって室内１００６が明るく照明されたとしても、グレア領域Ｇに到達する光が多いと室内１００６に居る人が不快を感じやすくなる。
【００５２】
本実施形態の採光フィルム１は、窓ガラス１００３を通して室内１００６に入射する光Ｌのうち、グレア領域Ｇに向かう光の輝度を低減しながら、天井１００１に向かう光の輝度を相対的に高めることが可能となっている。
なお、天井１００１で反射された光Ｌ’は、照明光の代わりとして、室内１００６を広範囲に亘って明るく照らすことになる。この場合、室内１００６の照明設備を消灯することによって、日中に室内１００６の照明設備が消費するエネルギーを節約する省エネルギー効果が期待できる。
【００５３】
次に、図５Ａ〜図５Ｇを用いて、採光フィルム１の採光部３に入射する入射光ＬＩＮの入射角θＩＮと、第１基材２の第２面２ｂから射出される射出光ＬＯＵＴの射出角θＯＵＴとの定義について説明する。
図５Ａは採光フィルム１の採光部３に入射する入射光ＬＩＮの入射角θＩＮと、第１基材２の第２面２ｂから射出される射出光ＬＯＵＴの射出角θＯＵＴとの定義について説明する図である。図５Ｂ〜図５Ｇは射出光の進行方向を示す図である。なお、図４を適宜参照する。
【００５４】
図５Ａに示すように、第１基材２の法線に沿った方向の角度を０°としたとき、太陽は第１基材２の法線よりも常に上方に位置するため、太陽からの入射光ＬＩＮの入射角θＩＮ（法線に対して時計回りの角度）を正（＋）と定義する。また、射出光ＬＯＵＴの射出角θＯＵＴでは、法線に対して反時計回りの角度を正（＋）とし、法線に対して時計回りの角度を負（−）とする。つまり、射出角θＯＵＴは、第１基材２の法線よりも上方であって天井１００１に向かう方向の角度を正（＋）とし、第１基材２の法線よりも下方であって床１００２に向かう方向の角度を負（−）として定義する。
【００５５】
太陽光の高度変化によって採光フィルム１に入射する光の入射角が変化する。
採光フィルム１に入射する入射光ＬＩＮの高度が低い（入射角θＩＮ≦２０°）場合、図５Ｂ、図５Ｃに示すように、採光部３の第４辺３Ｄあるいは第５辺３Ｅに入射した入射光ＬＩＮは、屈折して射出角θＯＵＴ＞０°で射出する。採光部３の第２辺３Ｂに入射した入射光ＬＩＮは、図５Ｄに示すように、第２辺３Ｂにおいて屈折して床１００２に向かう光となる。ここで、床１００２に向かう負（−）の射出角−θＯＵＴのうち入射角θＩＮと等しい射出角を射出角−θＯＵＴ１とすると、採光部３の第２辺３Ｂに入射した入射光ＬＩＮは、第２辺３Ｂにおいて屈折して射出角−θＯＵＴ２≦−θＯＵＴ１（−θＯＵＴ１＝θＩＮ）で射出して、室内１００６の床１００２のうち窓ガラス１００３に近い領域Ｆ（図４）側に向かって進む。また、図５Ｅ、図５Ｆに示すように、第２辺３Ｂあるいは第３辺３Ｃに入射した後、第５辺３Ｅにおいて反射されて射出角θＯＵＴ≧０°で射出して天井１００１に向かって進む光となる。
【００５６】
一方、図５Ｇに示すように、採光部３に入射する入射光ＬＩＮの高度が高い（入射角θＩＮ≧２０°）場合、その殆どが第３辺３Ｃに入射し、第５辺３Ｅにおいて反射されて射出角θＯＵＴ≧０°で射出する。一般的に日本における年間の太陽高度は、約２３°〜約８０°程度である。このような高度に位置する太陽からの入射光は、窓ガラス８において屈折された後、その光路に対して略垂直を成す第３辺３Ｃに入射することが多くなる。
【００５７】
次に、採光部３を透過する光の光路例について説明する。
図６Ａ〜図６Ｅは、採光部３を透過する光の光路を示す図である。
図６Ａに示すように、採光部３の第２辺３Ｂから入射した光Ｌは、採光部３の第５辺３Ｅで全反射して斜め上方に向かって進み、第１基材２の第２面２ｂ（第２面２ｂと室内空間との界面）から第１空間Ｓ１側へ向けて射出する。
図６Ｂに示すように、採光部３の第３辺３Ｃから入射した光Ｌは、採光部３の第５辺３Ｅで全反射して斜め上方に向かって進み、第１基材２の第２面２ｂにおいてさらに屈折されて第１空間Ｓ１側へ向かって射出する。
図６Ｃに示すように、採光部３の第４辺３Ｄから入射した光Ｌは、第４辺３Ｄで屈折されて斜め上方に向かって進み、第１基材２の第２面２ｂにおいてさらに斜め上方に屈折されて第１空間Ｓ１へ向かって射出する。
図６Ｄに示すように、採光部３の第５辺３Ｅから入射した光Ｌは、採光部３の第５辺３Ｅで屈折されて斜め上方に向かって進み、第１基材２の第２面２ｂにおいてさらに斜め上方に屈折されて第１空間Ｓ１へ向かって射出する。
【００５８】
本実施形態の採光フィルム１のように、複数の採光部３の各々の断面形状を第３頂点ｑ３を通る第１辺３Ａの法線方向を中心として非対称な多角形状（５角形）とすることにより、採光部３に入射する光の高度が低い（入射角θＩＮ≦２０°）場合には、その殆どを第４辺３Ｄあるいは第５辺３Ｅに入射させて射出角θＯＵＴ＞０°で射出させることができる。
また、採光部３に入射する光の高度が高い（入射角θＩＮ＞２０°）場合には、その殆どの光を第３辺Ｃから入射させて第５辺３Ｅにおいて反射させ、射出角θＯＵＴ＞０°で射出させることができる。
【００５９】
本実施形態の採光フィルム１の構成によれば、窓ガラス１００３（採光フィルム１）を通して室内１００６に入射した光Ｌを効率よく天井１００１へと向かわせることができる。本実施形態では、窓ガラス１００３を通して室内１００６に入射した光Ｌのうち、グレア領域Ｇに向かう光や床１００２に向かう光の輝度を低減しながら、天井１００１に向かう光の輝度を相対的に高めることが可能である。このため、グレア光を抑制して室内１００６に居る人Ｍａ，Ｍｂに眩しさを感じさせることなく、屋外の自然光（太陽光）を十分に利用して室内１００６の明るい環境を確保することができる。
【００６０】
しかしながら、図６Ｅに示すように、太陽高度がかなり高い場合（例えば入射角θＩＮ＞８０°）、採光フィルム１に入射する光Ｌが採光部３の第２辺３Ｂから入射することがある。採光部３の第２辺３Ｂから入射した光Ｌは、採光部３の第４辺３Ｄで全反射した後、第５辺３Ｅでさらに反射して斜め下方に向かって進み、第１基材２の第２面２ｂから第２空間Ｓ２に向けて射出する。
上述したような射出光は僅かではあるが、図４に示したような室内１００６に居る人Ｍａ，Ｍｂに眩しさを感じさせるグレア領域Ｇへ向かって射出される可能性がある。そこで、本発明者はこのようなグレア光の低減を図った構造を考案した。以下に詳細を記載する。
【００６１】
［第２実施形態］
次に、本発明における第２実施形態の採光フィルム１２について説明する。
以下に示す本実施形態の採光フィルム１２の基本構成は、上記第１実施形態と略同様であるが、採光部１３の断面形状が異なる。よって、以下の説明では、採光部１３の形状について詳しく説明し、共通な箇所の説明は省略する。また、説明に用いる各図面において、図１〜図６Ｅと共通の構成要素には同一の符号を付すものとする。
【００６２】
図７は、第２実施形態の採光フィルム１２の全体構成を示す図である。
図８は、第２実施形態の採光部１３の断面形状を示す図である。
図７に示すように、本実施形態における採光フィルム１２は、長手方向と直交する断面形状が６角形とされた採光部１３を複数有している。
【００６３】
図７および図８に示すように、複数の採光部１３の各々は、第１辺３Ａ、第２辺３Ｂ、第３辺（第２辺）３Ｃ、第４辺（第３辺）３Ｄ、第５辺３Ｅおよび第６辺３Ｆと、第１頂点ｑ１、第２頂点ｑ２、第３頂点ｑ３、第４頂点ｑ４、第５頂点ｑ５、第６頂点ｑ６と、を有しており、第１辺３Ａ側が第１基材２の第１面２ａに接している。
【００６４】
採光部１３において、第１基材２の第１面２ａに接する第１辺３Ａの両端にあたる頂点のうち、上方に位置する頂点が第１頂点ｑ１であり、下方に位置する頂点が第２頂点ｑ２である。第３頂点ｑ３は、第１辺３Ａ上に位置せず、第１辺３Ａから最も離れた頂点である。そして、第３頂点ｑ３を通る第１辺３Ａの垂線よりも上方に位置する頂点が第４頂点ｑ４である。また、第３頂点ｑ３を通る第１辺３Ａの垂線よりも下方に位置する２つの頂点のうち、第１辺３Ａから遠い側の頂点が第５頂点ｑ５であり、第１辺３Ａから近い側の頂点が第６頂点ｑ６である。
【００６５】
第３頂点ｑ３を通る第１辺３Ａの垂線の長さＬは、複数の頂点のうちの第３頂点ｑ３以外の頂点ｑ４，ｑ５，ｑ６を通る第１辺３Ａの垂線の長さＬ１，Ｌ２，Ｌ３よりも長い。
第４頂点ｑ４を通る第１辺３Ａの垂線の長さＬ１は、第５頂点ｑ５を通る第１辺３Ａの垂線の長さＬ２よりも長い。
第５頂点ｑ５を通る第１辺３Ａの垂線の長さＬ２は、第３頂点ｑ３を通る第１辺３Ａの垂線の長さＬの１／２よりも長い。
【００６６】
ここで、第３頂点ｑ３を通る第１辺３Ａの垂線と第３辺（第２辺）３Ｃとのなす角度θ１は、第３頂点ｑ３を通る第１辺３Ａの垂線と第４辺（第３辺）３Ｄとのなす角度θ２よりも大きい。
【００６７】
このように、本実施形態における採光部１３においても、第３頂点ｑ３を通る第１辺３Ａの垂線を中心としたその両側で非対称の形状をなす。つまり、第１頂点ｑ１及び第４頂点ｑ４を含む上部の体積に対して、第５頂点ｑ５及び第６頂点ｑ６を含む下部の体積の方が大きい形状となっている。
【００６８】
図９Ａ〜図９Ｇは、採光部を透過する光の光路を示す図である。
図９Ａに示すように、採光部３の第２辺３Ｂから入射した光Ｌは、採光部３の第６辺３Ｆで全反射して斜め上方に向かって進み、第１基材２の第２面２ｂ（第２面２ｂと室内空間との界面）においてさらに斜め上方へ屈折されて第１空間Ｓ１側に向けて射出する。
図９Ｂに示すように、採光部３の第３辺３Ｃから入射した光Ｌは、採光部３の第５辺Ｅで全反射して略水平な方向に進み、第１基材２の第２面２ｂにおいて斜め上方へ屈折されて第１空間Ｓ１側に向かって射出する。
図９Ｃに示すように、採光部３の第３辺３Ｃから入射した光Ｌは、第５辺３Ｅで屈折されて斜め上方に向かって進み、第１基材２の第２面２ｂにおいてさらに斜め上方に屈折されて第１空間Ｓ１に向かって射出する。
図９Ｄに示すように、採光部３の第３辺３Ｃから入射した光Ｌは、採光部３の第６辺３Ｆで全反射して斜め上方に向かって進み、第１基材２の第２面２ｂにおいてさらに斜め上方に屈折されて第１空間Ｓ１に向かって射出する。
図９Ｅに示すように、採光部３の第４辺３Ｄから入射した光Ｌは、第４辺３Ｄにおいて屈折されて斜め上方に向かって進み、第１基材２の第２面２ｂにおいてさらに斜め上方に屈折されて第１空間Ｓ１へ向かって射出する。
図９Ｆに示すように、採光部３の第５辺３Ｅから入射した光Ｌは、第５辺３Ｅにおいて屈折されて斜め上方に向かって進み、第１基材２の第２面２ｂにおいてさらに斜め上方に屈折されて第１空間Ｓ１へ向かって射出する。
図９Ｇに示すように、採光部３の第２辺３Ｂから入射した光Ｌは、第２辺３Ｂにおいて屈折された後、第４辺３Ｄ及び第６辺３Ｆで順次全反射されて斜め上方に向かって進み、第１基材２の第２面２ｂにおいてさらに斜め上方に屈折されて第１空間Ｓ１へ向かって射出する。
【００６９】
このように、本実施形態の採光フィルム１２の構成によっても、窓ガラス１００３を通して室内１００６に入射した光Ｌのうち、グレア領域Ｇに向かう光や床１００２に向かう光の輝度を低減しながら、天井１００１に向かう光の輝度を相対的に高めることが可能である。
【００７０】
また、本実施形態では、採光部１３の断面形状を６角形としたことにより、太陽の高度変化（入射角度）に関わらずグレア光を抑制することができる。つまり、本実施形態の採光部１３の形状であれば、図９Ｇに示すように、採光部１３の第２辺３Ｂから入射した太陽高度の高い光Ｌを第６辺３Ｆにおいて斜め上方へ向けて全反射させることが可能となる。これにより、太陽の高度変化によって採光フィルム１２（窓ガラス８）に入射する光の入射角が変化した場合でも、グレア光をより低減できるという効果が得られる。
【００７１】
［第３実施形態］
以下、本発明における第３実施形態の採光フィルム２２について説明する。
本実施形態の採光フィルム２２の基本構成は、上記第１実施形態と略同様であるが、採光部２３の断面形状が異なる。よって、以下の説明では、採光部２３の形状について詳しく説明し、共通な箇所の説明は省略する。また、説明に用いる各図面において、図１〜図５Ｇと共通の構成要素には同一の符号を付すものとする。
【００７２】
図１０は、第３実施形態の採光フィルム２２の全体構成を示す図である。
図１１は、第３実施形態の採光部２３の断面形状を示す図である。
図１０に示すように、本実施形態における採光フィルム２２は、長手方向を直交する断面形状が４角形とされた採光部２３を複数有している。
【００７３】
図１０および図１１に示すように、複数の採光部２３の各々は、第１辺３Ａ、第２辺３Ｂ、第３辺（第２辺）３Ｃ、第４辺（第３辺）３Ｄと、第１頂点ｑ１、第２頂点ｑ２、第３頂点ｑ３、第４頂点ｑ４と、を有しており、第１辺３Ａ側が第１基材２の第１面２ａに接している。
【００７４】
採光部２３において、第１基材２の第１面２ａに接する第１辺３Ａの両端にあたる頂点のうち、上方に位置する頂点が第１頂点ｑ１であり、下方に位置する頂点が第２頂点ｑ２である。第３頂点ｑ３は、第１辺３Ａ上に位置せず、第１辺３Ａから最も離れた頂点である。第３頂点ｑ３を通る第１辺３Ａの垂線よりも下方に位置する頂点が第４頂点ｑ４である。
【００７５】
第３頂点ｑ３を通る第１辺３Ａの垂線の長さＬは、第４頂点ｑ４を通る第１辺３Ａの垂線の長さＬ１よりも長い。
本実施形態の採光部２３は、第３頂点ｑ３を通る第１辺３Ａの垂線よりも下方に略全体の体積が存在する形状となっている。そのため、採光部１３は、第３頂点ｑ３を通る第１辺３Ａの垂線を中心としたその両側で非対称の形状をなすとともに、第４頂点ｑ４を通る第１辺３Ａの垂線を中心としたその両側でも非対称の形状をなしている。
【００７６】
図１２は、第３実施形態の採光部に入射した光の光路を示す図である。
図１２に示すように、例えば採光部２３の第２辺３Ｂに入射した光は、第４辺３Ｄにおいて全反射して斜め上方へ向かって進み、第１基材２の第２面２ｂにおいてさらに斜め上方へ屈折して第１空間Ｓ１へと射出される。
【００７７】
このように、本実施形態の採光フィルム２２の構成によっても、図４に示した窓ガラス１００３を通して室内１００６に入射した光Ｌのうち、グレア領域Ｇに向かう光や床１００２に向かう光の輝度を低減しながら、天井１００１に向かう光の輝度を相対的に高めることが可能である。すなわち、窓ガラス１００３を通して室内１００６に入射した光Ｌを天井１００１に向けて効率よく照射することができる。また、室内１００６に居る人Ｍａ，Ｍｂに眩しさを感じさせることなく、天井１００１に向かう光Ｌを室内１００６の奥の方まで照射することができる。
【００７８】
［第４実施形態］
次に、本発明における第４実施形態の採光フィルム３２について説明する。
以下に示す本実施形態の採光フィルム３２の基本構成は、上記第１実施形態と略同様であるが、採光部周辺の構造が異なる。よって、以下の説明では、採光部周辺の構造について詳しく説明し、共通な箇所の説明は省略する。また、説明に用いる各図面において、図１〜図６Ｅと共通の構成要素には同一の符号を付すものとする。
【００７９】
図１３は、第４実施形態の採光フィルム３２の全体構成を示す図である。
図１４は、第４実施形態の採光部周辺の構造を示す断面図である。
図１３に示すように、本実施形態における採光フィルム３２は、長手方向と直交する断面形状が５角形とされた複数の採光部３と、隣り合う採光部３の間に各々配置された複数の補助採光部７とを備える。
【００８０】
補助採光部７は、光透過性を有する多角柱状構造体から成り、採光部３と同様の材料を用いて形成することができる。図１３及び図１４に示すように、補助採光部７は、採光部３と平行して一方向（図１３の紙面と垂直な方向）に直線状に細長く延び、長手方向と直交する断面形状が三角形である。具体的には、図１４に示すように、第１基材２の第１面２ａに接する第１辺７Ａと、隣り合う一方の採光部３の第２辺３Ｂに接する第２辺７Ｂと、第１辺７Ａと第２辺７Ｂとを繋ぐ残りの第３辺７Ｃとを有する。
第３辺７Ｃは、採光部３において第３頂点ｑ３を通る第１辺３Ａの垂線に対して面積が大きい側に位置する辺（第４辺３Ｄ、第５辺３Ｅ）の傾きと反対側の傾きを有する。
【００８１】
ここで、補助採光部７の複数の頂点のうち、第１辺７Ａと第２辺７Ｂとにより構成される頂点ｑと、採光部３の第１頂点ｑ１とは互いに一致している。つまり、補助採光部７は、採光部の第２辺３Ｂおよび第１基材２の第１面２ａのそれぞれに対して隙間なく設けられている。
【００８２】
図１５Ａは、隣り合う採光部３の間の補助採光部７を透過する光の光路を示す図である。図１５Ｂは、隣り合う採光部３の間の隙間に入射した光の光路を示す模式図である。
図１５Ｂに示すように、第１基材２上に複数の採光部３を形成する際、各々の採光部３の間に隙間が形成されてしまうことがある。この場合、採光フィルムに低高度で入射した光の一部が、隣り合う採光部３の間の隙間に露出した第１基材２から直接抜けてグレア光となる恐れがある。
【００８３】
これを防止するため本実施形態では、図１５Ａに示すように隣り合う採光部３の間に補助採光部７を設けて上記隙間を埋める構成とした。これにより、採光部３に入射しなかった光も補助採光部７において屈折させて射出（θＯＵＴ＜θＩＮ）させることが可能となる。この光は、図４で示したように室内１００６の側壁１００４に近い領域Ｆ、つまり床１００２側へ向かう光となる。このように、室内１００６に居る人Ｍａ，Ｍｂが眩しさを感じるグレア光となることを防ぐことができる。
【００８４】
本実施形態においては、隣り合う採光部３の間に別途形成された補助採光部７が配置された構成となっているが、図１６に示すように、隣り合う一方の採光部３と補助採光部７とが一体に形成された補助付採光部４３としてもよい。ここでは、採光部３の第２辺３Ｂ側に補助採光部７が一体に形成されている。
【００８５】
［第５実施形態］
次に、本発明における第５実施形態の採光フィルム４２について説明する。
以下に示す本実施形態の採光フィルム４２の基本構成は、上記第４実施形態と略同様であるが、採光部周辺の構造が異なる。よって、以下の説明では、採光部周辺の構造について詳しく説明し、共通な箇所の説明は省略する。また、説明に用いる各図面において、図１３及び図１４と共通の構成要素には同一の符号を付すものとする。
【００８６】
図１７は、第５実施形態の採光フィルム４２の全体構成を示す図である。
図１８は、第５実施形態の採光部周辺の構造を示す断面図である。
本実施形態の採光フィルム４２は、図１７及び図１８に示すように第１基材２の第１面２ａ上に複数の採光部３と複数の補助採光部７とを有し、隣り合う２つの採光部３の間にこれらとは離間して設けられた１つの補助採光部７が存在する。
【００８７】
このように、補助採光部７が隣り合う採光部３から離間して配置された構成としてもよい。この場合、採光部３と補助採光部７との間に形成される隙間は非常に小さい領域のため、隙間を直接抜けてグレア光となる光は殆ど見られない。
よって、上記実施形態同様に、低高度のため採光部３に入射しなかった光は補助採光部７に入射して斜め下方へ屈折され、図４に示した室内１００６の床１００２側へ向けて射出される。このため、本実施形態の採光フィルム４２においてもグレア光の発生を抑えることができる。
【００８８】
［第６実施形態］
次に、本発明における第６実施形態の採光フィルム４４について説明する。
以下に示す本実施形態の採光フィルム４４の基本構成は、上記第１実施形態と略同様であるが、採光部周辺の構造が異なる。よって、以下の説明では、採光部周辺の構造について詳しく説明し、共通な箇所の説明は省略する。また、説明に用いる各図面において、図１と共通の構成要素には同一の符号を付すものとする。
【００８９】
図１９は、第６実施形態の採光フィルム４４の全体構成を示す図である。
図１９に示すように、本実施形態の採光フィルム４４は、隣り合う採光部３同士が隣接して配置されており、各採光部３の端部同士（図２に示すような隣り合う一方の採光部３の第１頂点ｑ１と他方の採光部３の第２頂点ｑ２と）が接している。
【００９０】
なお、上記した第２実施形態及び第３実施形態における採光フィルムの他の構成例として、図２０、図２１に示すように、隣り合う採光部１３同士または隣り合う採光部２３同士が隣接配置された構成の採光フィルム４５，４６としてもよい。
【００９１】
上記各実施形態では、窓ガラス８の室内側の面に採光フィルム１，１２，２２，３２，４２，４４が貼り合わされているが、窓ガラス８の室外側（屋外側）の面に採光フィルム１，１２，２２，３２，４２，４４を貼り合せてもよい。いずれの場合も、第１基材２を室内側に向けた状態で貼り合わせればよい。また、二重窓のような２枚のガラス間に採光フィルム１，１２，２２，３２，４２，４４設置することも可能である。
【００９２】
また、上記各実施形態に係る窓ガラス８については、上述した固定式の窓枠に設置される場合に限らず、例えば開閉式の窓枠に設置された構成であってもよい。例えば、上下方向に回動される回動方式や、左右方向に回動される回動方式の窓枠に設置されてもよいし、上下方向又は左右方向にスライドされるスライド方式の窓枠に設置されてもよい。
【００９３】
［第７実施形態］
（ロールスクリーン）
次に、本発明の第７実施形態として、例えば、図２２及び図２３に示すロールスクリーン（採光装置）３０１について説明する。
なお、図２２は、ロールスクリーン３０１の概略構成を示す斜視図である。図２３は、図２２中に示すロールスクリーン３０１のＥ−Ｅ’線に沿った断面図である。また、以下の説明では、上記採光フィルムと同等の部位については、説明を省略するとともに、図面において同じ符号を付すものとする。
【００９４】
ロールスクリーン３０１は、図２２及び図２３に示すように、採光スクリーン３０２と、採光スクリーン３０２を巻き取り自在に支持する巻き取り機構３０３とを備えている。
【００９５】
採光スクリーン３０２は、図２２に示すように、光透過性を有するフィルム状（シート状）の第１基材２と、第１基材２の第１面２ａに並んで形成された複数の採光部３と、複数の採光部３の各々の間に形成された複数の空隙部９とを備えた採光部材３００と、を備え、採光部材３００を通して外光を採り入れるものである。採光スクリーン３０２は、上記採光フィルム１と基本的に同じ構造を有している。但し、第１基材２の厚みについては、ロールスクリーン３０１に適した厚みとなっている。
【００９６】
図２２に示すように、巻き取り機構３０３は、採光スクリーン３０２の上端部に沿って取り付けられた巻芯（支持部材）３０４と、採光スクリーン３０２の下端部に沿って取り付けられた下パイプ（支持部材）３０５と、採光スクリーン３０２の下端部中央に取り付けられた引張りコード３０６と、巻芯３０４に巻き取られた採光スクリーン３０２を収納する収納ケース３０７とを備えている。
【００９７】
巻き取り機構３０３は、プルコード式として、採光スクリーン３０２を引っ張り出した位置で固定させたり、引っ張り出した位置からさらに引張りコード３０６を引っ張ることで、固定を解除して採光スクリーン３０２を巻芯３０４に自動的に巻き取らせたりすることが可能である。なお、巻き取り機構３０３については、このようなプルコード式に限らず、巻芯３０４をチェーンで回転させるチェーン式の巻き取り機構や、巻芯３０４をモータにより回転させる自動式の巻き取り機構等であってもよい。
【００９８】
以上のような構成を有するロールスクリーン３０１は、窓ガラス３０８の上部に収納ケース３０７を固定した状態で、この収納ケース３０７に収納された採光スクリーン３０２を引張りコード３０６で引っ張り出しながら、窓ガラス３０８の内面に対向させた状態で使用される。このとき、採光スクリーン３０２は、窓ガラス３０８に対して複数の採光部３の並び方向が窓ガラス３０８の縦方向（鉛直方向）と一致する向きで配置される。つまり、採光スクリーン３０２は、窓ガラス３０８に対して複数の採光部３の長手方向が窓ガラス３０８の横方向（水平方向）と一致するように配置される。
【００９９】
窓ガラス３０８の内面に対向させた採光スクリーン３０２は、窓ガラス３０８を通して室内に入射した光を複数の採光部３で光の進行方向を変えながら、室内の天井に向けて照射する。また、天井に向かう光は、天井で反射して室内を照らすため、照明光の代わりとなる。したがって、このようなロールスクリーン３０１を用いた場合、日中に建物内の照明設備が消費するエネルギーを節約する省エネルギー効果が期待できる。
【０１００】
以上のように、本実施形態のロールスクリーン３０１を用いた場合には、屋外の自然光（太陽光）を室内に効率よく取り入れるとともに、室内に居る人に眩しさを感じさせずに、室内の奥の方まで明るく感じさせることができ、なおかつ太陽の高度変化に伴う照射位置の変動を抑制することが可能である。
【０１０１】
また、本発明の実施形態に係るロールスクリーンとしては、図示を省略するものの、上記ロールスクリーン３０１の構成に加えて、第１基材２の第２面２ｂ側に、例えば、グレア領域Ｇに向かう方向の光を拡散させるための光拡散フィルムや、自然光（太陽光）の輻射熱を遮断するための光透過性を有する断熱フィルムなどの機能性フィルムを配置した構成とすることも可能である。
【０１０２】
［第８実施形態］
（ブラインド）
次に、本発明の第８実施形態として、例えば、図２４に示すブラインド（採光装置）４０１について説明する。
図２４は、ブラインドの概略構成を示す斜視図である。図２５Ａ、図２５Ｂは、ブラインド４０１の概略構成を示す斜視図であり、図２５Ａは、ブラインド４０１の開状態を示し、図２５Ｂは、ブラインド４０１の閉状態を示す。
また、以下の説明では、上記採光フィルム１と同様の部位については説明を省略するとともに、図面において同じ符号を付すものとする。
【０１０３】
ブラインド４０１は、図２４に示すように、所定の間隔を空けて並んで配置された複数の採光スラット４０２と、複数の採光スラット４０２を互いに傾動自在に支持する傾動機構（支持機構）４０３と、傾動機構（支持機構）４０３によって連結された複数の採光スラット４０２を出し入れ可能に折り畳んで収納する収納機構４０８と、を備えている。
【０１０４】
複数の採光スラット４０２は、図２５Ａ、図２５Ｂ及び図２６に示すように、光透過性を有する長尺板状の第１基材２と第１基材２の第１面２ａに並んで形成された複数の採光部３と、複数の採光部３の各々の間に形成された複数の空隙部９とを備えた採光部材である。各採光スラット４０２は、上記採光フィルム１と基本的に同じ構造を有している。
但し、第１基材２の形状については、上述した各実施形態の採光フィルムや採光スクリーンとは異なっている。
【０１０５】
傾動機構４０３は、複数のラダーコード４０４を備えている。複数のラダーコード４０４は、図示を省略するものの、採光スラット４０２の長手方向に並ぶことによって、複数の採光スラット４０２を支持している。具体的に、ラダーコード４０４は、互いに平行に並ぶ一対の縦コード４０５ａ、４０５ｂと、縦コード４０５ａ、４０５ｂの間に掛け渡されるとともに、縦コード４０５ａ、４０５ｂの長手方向に等間隔に並ぶ複数の横コード４０６とを有している。また、ラダーコード４０４は、横コード４０６を構成する一対の保持コード４０７ａ，４０７ｂにより採光スラット４０２を挟み込みながら、採光スラット４０２を縦コード４０５ａ，４０５ｂの間で保持している。
【０１０６】
傾動機構４０３は、図示を省略するものの、一対の縦コード４０５ａ，４０５ｂを互いに逆向きに上下方向に移動操作する操作機構を備えている。そして、傾動機構４０３では、この操作機構による一対の縦コード４０５ａ，４０５ｂの移動操作によって、複数の採光スラット４０２を互いに同期させながら傾動させることが可能となっている。
【０１０７】
以上のような構成を有するブラインド４０１は、窓ガラス（図示せず。）の上部から吊り下げられた状態で、この窓ガラスの内面に対向させた状態で使用される。このとき、各採光スラット４０２は、窓ガラスに対して複数の採光部３の並び方向が窓ガラスの縦方向（鉛直方向）と一致する向きで配置される。換言すると、採光スラット４０２は、窓ガラスに対して複数の採光部３の延長方向が窓ガラスの横方向（水平方向）と一致するように配置される。
【０１０８】
図２６に示すように、窓ガラスの内面に対向させたブラインド４０１は、この窓ガラスを通して室内に入射した光Ｌを複数の採光部３で光の進行方向を変えながら、屋内の天井に向けて照射する。また、天井に向かう光Ｌは、天井で反射して室内を照らすため、照明光の代わりとなる。したがって、このようなブラインド４０１を用いた場合、日中に建物内の照明設備が消費するエネルギーを節約する省エネルギー効果が期待できる。
【０１０９】
また、ブラインド４０１では、複数の採光スラット４０２を傾動させることによって、天井に向かう光Ｌの角度を調整することができる。さらに、複数の採光スラット４０２の間から入射する光を調整することができる。
【０１１０】
また、ブラインド４０１では、図２７に示すように、採光スラット４０２の向きを１８０°反転させた場合でも、採光スラット４０２の向きを反転させる前と同様に、窓ガラスを通して室内に入射した光Ｌを複数の採光部３で光の進行方向を変えながら、屋内の天井に向けて照射することができる。
【０１１１】
また、図２８に示すように、長尺板状の第１基材２の第２面２ｂ側に長尺板状のスラット部材４０９を別途設けてもよい。この場合、第１基材２とスラット部材４０９との屈折率が略同等であることが望ましい。
【０１１２】
以上のように、本実施形態のブラインド４０１を用いた場合には、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制することが可能である。
【０１１３】
なお、本発明は、上記第８実施形態のブラインド４０１の構成に必ずしも限定されるものではなく、本発明の趣旨を逸脱しない範囲において種々の変更を加えることが可能である。
【０１１４】
例えば、本発明の実施形態に係るブラインドとしては、図示を省略するものの、上記ブラインド４０１の構成に加えて、第１基材２の第２面２ｂ側に、例えば、グレア領域Ｇに向かう方向の光を拡散させるための光拡散フィルム（光拡散部材）や、自然光（太陽光）の輻射熱を遮断するための光透過性を有する断熱フィルム（断熱部材）などの機能性フィルム（機能部材）を配置した構成とすることも可能である。
【０１１５】
また、本発明の実施形態に係るブラインドとしては、上記採光スラット４０２と共に、遮光性を有する遮光スラットを組み合わせて使用することも可能である。この場合、複数の採光スラット４０２により構成される採光部と、この採光部の下方に位置して、複数の遮光スラットにより構成される遮光部とを備えた構成とする。この構成により、窓ガラスを通して室内に入射した光を、採光部を構成する複数の採光スラット４０２によって屋内の天井に向けて照射すると共に、遮光部を構成する複数の遮光スラットによってグレア領域に向かう光を遮光することができる。
【０１１６】
［照明調光システム］
図２９は、採光装置及び照明調光システムを備えた部屋モデル２０００を示す図である。
図３０は、部屋モデル２０００の天井を示す平面図である。
【０１１７】
本発明において、外光が導入される部屋２００３の天井２００３ａを構成する天井材は、高い光反射性を有していてもよい。図２９及び図３０に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１１８】
この光反射性天井材２００３Ａは、先に述べたように、本発明の採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１１９】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１２０】
本発明の採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１２１】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１２２】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１２３】
本発明の採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系２００９と、天井２００３ａに設置された光反射性天井材２００３Ａと、を含む部屋全体の構成部材から構成される。
【０１２４】
部屋２００３の窓２００２には、上部側に採光装置２０１０が設置され、下部側に日射調整装置２００８が設置されている。ここでは、日射調整装置２００８として、ブラインドが設置されているが、これに限らない。
【０１２５】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１２６】
図２９及び図３０に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。より具体的には、５０個の室内照明装置２００７が１０行（Ｙ方向）×５列（Ｘ方向）に配列されている。
【０１２７】
室内照明装置２００７は、室内照明器具２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０１２８】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂによって、室内に置かれた机上２００５の机上面２００５ａの照度を検出する。
【０１２９】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１３０】
図３１は、採光装置によって室内に採光された光（自然光）の照度と、室内照明装置による照度（照明調光システム）との関係を示すグラフである。
図３１に示すように、採光装置２０１０（自然光の採光）による机上面の照度は、窓から遠くなる程、低下している。一方で、採光装置２０１０を窓に設置することなく室内の天井に室内照明装置２００７（照明調光システム）を設置した場合には、窓から遠くなる程、机上面の照度が上昇する。これら採光装置２０１０と室内照明装置２００７（照明調光システム）とを併用した場合、採光装置２０１０及び室内照明装置２００７（照明調光システム）のいずれか一方を用いた場合よりも、室内における机上面の照度が全体的に上昇していることが分かる。採光装置２０１０の効果により窓際が最も明るく、窓から離れるに従って明るさの低下が若干みられるが、略一定の照度（平均照度：７５０ｌｘ）が得られている。
【０１３１】
以上述べたように、採光装置２０１０と照明調光システム（室内照明装置２００７）とを併用することにより、室内の奥の方まで光を届けることが可能となり、室内の明るさをさらに向上させることができる。したがって、太陽高度による影響を受けずにより一層安定した明るい光環境が得られる。
【０１３２】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【０１３３】
本発明の一態様は、グレアをより抑制することが必要な採光部材、採光装置、および採光部材の設置方法などに適用することができる。
【符号の説明】
【０１３４】
１，１２，２２，３２，４２，４４…採光フィルム（採光部材）、２…第１基材、２ａ…第１面、２ｂ…第２面、３，１３，２３…採光部（多角柱状構造体）、３Ａ，７Ａ…第１辺、３Ｂ，７Ｂ…第２辺、３Ｃ，７Ｃ，…第３辺（第２辺）、３Ｄ…第４辺（第３辺）、７…補助採光部、８…窓ガラス（透明構造物）、９…空隙部、Ｌ，Ｌ１，Ｌ２…光、Ｌ，Ｌ１，Ｌ２…長さ、ｑ１…第１頂点、ｑ２…第２頂点、ｑ３…第３頂点、ｑ４…第４頂点、ｑ５…第５頂点、ｑ６…第６頂点、３００…採光部材、３０１…ロールスクリーン（採光装置）、３０３…巻き取り機構、３０４…巻芯（支持部材）、３０５…下パイプ（支持部材）、４０１…ブラインド（採光装置）、４０８…収納機構
【図１】
0006450995.tif 000002
【図２】
0006450995.tif 000003
【図３】
0006450995.tif 000004
【図４】
0006450995.tif 000005
【図５Ａ】
0006450995.tif 000006
【図５Ｂ】
0006450995.tif 000007
【図５Ｃ】
0006450995.tif 000008
【図５Ｄ】
0006450995.tif 000009
【図５Ｅ】
0006450995.tif 000010
【図５Ｆ】
0006450995.tif 000011
【図５Ｇ】
0006450995.tif 000012
【図６Ａ】
0006450995.tif 000013
【図６Ｂ】
0006450995.tif 000014
【図６Ｃ】
0006450995.tif 000015
【図６Ｄ】
0006450995.tif 000016
【図６Ｅ】
0006450995.tif 000017
【図７】
0006450995.tif 000018
【図８】
0006450995.tif 000019
【図９Ａ】
0006450995.tif 000020
【図９Ｂ】
0006450995.tif 000021
【図９Ｃ】
0006450995.tif 000022
【図９Ｄ】
0006450995.tif 000023
【図９Ｅ】
0006450995.tif 000024
【図９Ｆ】
0006450995.tif 000025
【図９Ｇ】
0006450995.tif 000026
【図１０】
0006450995.tif 000027
【図１１】
0006450995.tif 000028
【図１２】
0006450995.tif 000029
【図１３】
0006450995.tif 000030
【図１４】
0006450995.tif 000031
【図１５Ａ】
0006450995.tif 000032
【図１５Ｂ】
0006450995.tif 000033
【図１６】
0006450995.tif 000034
【図１７】
0006450995.tif 000035
【図１８】
0006450995.tif 000036
【図１９】
0006450995.tif 000037
【図２０】
0006450995.tif 000038
【図２１】
0006450995.tif 000039
【図２２】
0006450995.tif 000040
【図２３】
0006450995.tif 000041
【図２４】
0006450995.tif 000042
【図２５Ａ】
0006450995.tif 000043
【図２５Ｂ】
0006450995.tif 000044
【図２６】
0006450995.tif 000045
【図２７】
0006450995.tif 000046
【図２８】
0006450995.tif 000047
【図２９】
0006450995.tif 000048
【図３０】
0006450995.tif 000049
【図３１】
0006450995.tif 000050